(57)【要約】【課題】            本発明は各種容器のポンプ安全装置に関するもので、より詳しくは、化粧品やシャンプー及びキッチン用洗剤を盛ることができる各種容器のポンプに調整部材及び安全ピンを設置して、容器の内容物が排出される排出量を自由に調整し、ポンプを安全に固定することができる各種容器のポンプ安全装置に関するものである。【解決手段】        本発明は内容物が盛られた容器の上部に結合された内容物を吸入するポンピング手段を含み、前記ポンピング手段は、上部に押しボタンと、前記押しボタンの一側に延長して突出されるように一体に形成され、内容物を外部に排出する吐出管と、上記押しボタンの下部に結合され、且つ支持管体の外側に設置されたシリンダー部とを含み、前記シリンダー部の上側にキャップと蓋が設置され、前記蓋を内容物が収容された容器の上部に結合して設置された各種容器において、前記キャップの内側雌ネジ部と、前記キャップの雌ネジ部に締結され、キャップの上部に設置されて、上下に移動されるように調整することができる調整部材とが設置されたことを特徴とする各種容器のポンプ安全装置を提供する。【選択図】          図６
2015518453.tif 000002
【特許請求の範囲】
【請求項１】
内容物が盛られた容器の上部に結合された内容物を吸入する多様な形態のポンピング手段を含み、前記ポンピング手段は上部に押しボタンと、前記押しボタンの一側に延長して突出されるように一体に形成されて、内容物を外部に排出する吐出管と、前記押しボタンの下部に結合され、且つ支持管体の外側に設置されたシリンダー部とを含み、前記シリンダー部の上側にキャップと蓋が設置され、前記蓋を内容物が収容された容器の上部に結合して設置された各種容器において、
前記キャップの内側雌ネジ部と、前記キャップの雌ネジ部に締結され、キャップの上部に設置されて、上下に移動されるように調整することができる調整部材とが設置されることを特徴とする各種容器のポンプ安全装置。
【請求項２】
前記調整部材は、前記キャップの雌ネジ部と結合されるように、下側外部に雄ネジ部を形成し、上側に手で回転させることができるように鋸歯状の調整部が形成されることを特徴とする請求項１に記載の各種容器のポンプ安全装置。
【請求項３】
前記調整部材は、使用しない時は、前記キャップから外して上向きに移動させて押しボタンが押されないようにし、使用する時は、調整部材を自由に締め付けて下向きに移動させて押しボタンが押されるようにして、排出される容器内の内容物の排出量を調整することができるように設置されたことを特徴とする請求項１に記載の各種容器のポンプ安全装置。
【請求項４】
前記押しボタンの下側連結部には安全ピン溝を形成し、前記安全ピン溝と一致する前記調整部の上側にはピン溝を形成し、前記ピン溝の両側にヒンジで結合され、前記安全ピン溝に挿入されるように上側に取っ手が形成された安全ピンが設置されることを特徴とする請求項２に記載の各種容器のポンプ安全装置。
【発明の詳細な説明】
【技術分野】
【０００１】
本発明は各種容器のポンプ安全装置に関するもので、より詳しくは、化粧品やシャンプー及びキッチン用洗剤などを盛ることができる各種容器のポンプに調整部材及び安全ピンを設置して、容器の内容物が排出される排出量を自由に調整してポンプを安全に固定することができる各種容器のポンプ安全装置に関するものである。
【背景技術】
【０００２】
従来、一般的に使われる化粧品やシャンプー及びキッチン用洗剤などのような肌に直接触れる物質は、水のような異物によって変質され易いという問題点があり、そのため、使用者の必要によって一定量だけ排出し、外部の空気や異物が含有されることを防止するためのポンピング手段であるポンプを採択した容器が使われている。
【０００３】
そこで、上記ポンプを採択した容器が広く使われており、簡単に説明すれば、従来には、図１に示すように、内容物が盛られた容器１０の上部に内容物を吸入するポンピング手段２０であるポンプが結合されている。
【０００４】
上記ポンピング手段２０は上部に押しボタン２１と上記押しボタン２１の一側に延長して突出されるように一体に形成されて、内容物を外部に排出する吐出管２２と、上記押しボタン２１の下部に結合された支持管体２５と、上記支持管体２５の下部に設置されたピストン２７と、上記ピストン２７の下部に設置されたスプリング２８と、上記支持管体２５の下側に設置され、ピストン２７とスプリング２８が内装されたシリンダー部２６とを含み、上記シリンダー部２６の上側にキャップ２３と蓋２４が設置され、上記キャップ２３が結合された蓋２４を内容物が収容された容器１０の上部に結合して設置される。
【０００５】
そして、使用者が押しボタン２１を押すと、上記押しボタン２１の支持管体２５と相互結合されたポンピング手段のシリンダー部２６に押圧力が伝達され、この時、内部に備えられたピストン２７が下方に押されながら内部の圧力を上昇させ、そして上記シリンダー部２６の内部の内容物が押しボタン２１の吐出管２２を通じて外部に排出される。
【０００６】
また、押しボタン２１に作用した力を解除すると、シリンダー部２６の内部に備えられたスプリング２８の弾性力によってピストン２７を復帰させながら上記シリンダー部２６の内部の圧力を下降させ、その圧力の差によって容器１０の内部に収容された内容物がチューブ管２９に通じてシリンダー部２６の内部に満たされる。
【０００７】
従って、上述したポンピング手段２０は従来の単純に蓋だけ有する容器より所望の量を調整することができるという長所があり、且つ異物によって内容物が変質される虞が少ないという長所により広く使われる。
【０００８】
上記のような従来のポンピング手段２０は、押しボタン２１の下側に形成された雄ネジ部２１ｃがキャップ２３に締結された状態で、使用者が押しボタン２１を回転させてキャップ２３から外しながら上部に上げて人為的に押しボタン２１を押して使う方式で、正確な排出量を決めることができなくて、消費者に混乱をもたらし、使用後再び押しボタン２１を押して回転させて押しボタン２１の下側の連結部２１ａに形成された雄ネジ部２１ｃがキャップ２３に締結されるように閉める方法で、これは使用後押しボタンを閉める時、容器内の内容物が吐出管２２から排出されるため、無駄使いが発生し、このような無駄使いを防止するために閉めて置かないと、幼児等の子供がむやみに押しボタン２１を押して内容物を外部に排出して消耗させるか、口に入れる虞があるという問題点を抱えている。
【０００９】
また容器１０のポンピング手段２０の上に安全蓋をする方法と押しボタン２１とキャップ２３との間に別途の固定ピンを挿入及び取り外す方法がある。
【００１０】
ところが、上記安全蓋または固定ピンを挿入または取り外す過程が不便であるとともに、紛失の虞がある。
【００１１】
本出願人は各種容器のポンピング手段であるポンプに調整部材及び安全ピンを設置して、押しボタンを押さなくても調整部材によって閉められて、押しボタンが押されないように安全に固定し、使用する際、調整部材を回転させて上下に移動し、押しボタンが押される程度を調整して、容器の内容物が排出される排出量を自由に調整することができ、幼児の子供に最も安全な閉め付け及び安全を提供することができる各種容器のポンプ安全装置を開発するに至った。
【発明の概要】
【発明が解決しようとする課題】
【００１２】
上述したような本発明は、化粧品やシャンプー及びキッチン用洗剤を盛ることができる各種容器のポンプに調整部材及び安全ピンを設置して、容器の内容物が排出される排出量を調整することができるようにする各種容器のポンプ安全装置を提供することを目的とする。
【００１３】
本発明の他の目的は、各種容器のポンプに調整部材及び安全ピンを設置して、押しボタンが押されないように安全に固定して、幼児が容器を使うことができないように安全性を保持することができる各種容器のポンプ安全装置を提供することにある。
【００１４】
本発明のまた他の目的は、各種容器のポンプに内容物が排出される排出量を使用者が自由に調整して便利に用いることができるようにする各種容器のポンプ安全装置を提供することにある。
【００１５】
本発明のまた他の目的は、各種容器のポンプに調整部材及び安全ピンを設置して、幼児及び子供を保護するために、使用しない時には押しボタンが押されないようにし、使用する時には、調整部材を回転させて上下に移動させて、押しボタンが押される程度を調整して容器の内容物が排出される排出量を自由に調整することができ、幼児及び子供に最も安全な閉め付け及び安全を提供することができる各種容器のポンプ安全装置を提供することにある。
【課題を解決するための手段】
【００１６】
上記のような目的を達するための本発明は、内容物が盛られた容器の上部に結合された内容物を吸入するポンピング手段を含み、上記ポンピング手段は上部に押しボタンと、上記押しボタンの一側に延長して突出されるように一体に形成されて、内容物を外部に排出する吐出管と、上記押しボタンの下部に結合され、且つ支持管体の外側に設置されたシリンダー部とを含み、上記シリンダー部の上部にキャップと蓋が設置され、上記蓋を内容物が収容された容器の上部に結合して設置された各種容器において、上記キャップの内側雌ネジ部と、上記キャップの雌ネジ部に締結され、キャップの上部に設置されて上下に移動されるように調整することができる調整部材が設置されたことを特徴とする。
【００１７】
上記調整部材は上記キャップの雌ネジ部と結合されるように下側外部に雄ネジ部を形成し、上部に手で回転させることができるように鋸歯状の調整部が形成されたことを特徴とする。
【００１８】
上記調整部材は幼児や子供を保護するために、使用しない時は上記キャップから外して上向きに移動させることによって押しボタンが押されないようにし、使用する時は調整部材を締め付けて下向きに移動させることによって押しボタンが押されられるようにして、排出される容器内の内容物の排出量を調整することができるように設置されたことを特徴とする。
【００１９】
上記押しボタンの下側連結部には安全ピン溝を形成し、上記安全ピン溝と一致する上記調整部の上部にピン溝を形成し、上記ピン溝の両側にヒンジで結合され、上記安全ピン溝に挿入されるように、上側に取っ手が形成された安全ピンが設置されたことを特徴とする。
【発明の効果】
【００２０】
上述したような本発明は、化粧品やシャンプー及びキッチン用洗剤を盛ることができる各種容器の多様なポンプ類に調整部材及び安全ピンを設置して、容器の内容物が排出される排出量を自由に調整することができるという效果を奏する。
【００２１】
また、各種容器の多様なポンプ類に調整部材及び安全ピンを設置して、押しボタンが押されないように安全に固定して、乳児がむやみに容器を使用できないように安全性を保持することができるという效果を奏する。
【００２２】
また、各種容器の多様なポンプ類に内容物が排出される排出量を使用者が自由に調整して便利に使うことができるという效果を奏する。
【００２３】
また、各種容器のポンプに調整部材及び安全ピンを設置して、幼児や子供を保護するために、使用しない時は、押しボタンが押されないようにし、使用する時は、調整部材を回転させて上下に移動して押しボタンが押される程度を調整し、それによって、容器内の内容物が排出される排出量を自由に調整することができ、幼児や子供に最も安全な閉め付け及び安全を提供することができるという效果を奏する。
【図面の簡単な説明】
【００２４】
【図１】従来の各種容器のポンピング手段の構成図である。
【図２】本発明の各種容器にポンピング手段が設置された斜視図である。
【図３】本発明の各種容器にポンピング手段が設置された断面図である。
【図４】本発明の各種容器にポンピング手段に設置された調整部材及び安全ピンによって押しボタンが押されない状態図である。
【図５】本発明の各種容器にポンピング手段に設置された調整部材を上下に調整して内容物が排出することができる状態図である。
【図６】本発明の各種容器にポンピング手段に設置された調整部材に設置される安全ピンの構成図である。
【発明を実施するための形態】
【００２５】
以下、本発明の好ましい実施例が図示された添付図面を参照してより詳細に説明すれば次の通りである。ただ、本発明は多様な異なる形態に具現されることができ、記述された実施例に制限されるのではないことを理解すべきである。
【００２６】
図２は本発明の各種容器にポンピング手段が設置された斜視図であり、図３は本発明の各種容器にポンピング手段が設置された断面図であり、図４は本発明の各種容器にポンピング手段に設置された調整部材によって押しボタンが押されない状態図であり、図５は本発明の各種容器にポンピング手段に設置された調整部材を上下に調整して内容物が排出することができる状態図であり、図６は本発明の各種容器にポンピング手段に設置された調整部材に設置される安全ピンの構成図である。
【００２７】
本発明は各種容器のポンプ安全装置に関するもので、より詳しくは、化粧品やシャンプー及びキッチン用洗剤などを盛ることができる各種容器のポンプに調整部材及び安全ピンを設置して、容器の内容物が排出される排出量を自由に調整し、ポンプを安全に固定することができる各種容器のポンプ安全装置に関するものである。
【００２８】
本発明は、図２〜図６に示すように、各種容器のポンプ安全装置に内容物が盛られた容器１０の上部に結合された内容物を吸入するポンピング手段２０が設置される。
【００２９】
上記ポンピング手段２０は上部に押しボタン２１と、上記押しボタン２１の一側に延長して突出されるように一体に形成されて、内容物を外部に排出する吐出管２２と、上記押しボタン２１の下部に結合された支持管体２５と、上記支持管体２５の下部に設置されたピストン２７と、上記ピストン２７の下部に設置されたスプリング２８と、上記支持管体２５の下側に設置され、ピストン２７とスプリング２８が内装されたシリンダー部２６とを含み、上記シリンダー部２６の上側にキャップ２３と蓋２４が設置され、上記蓋２４を内容物が収容された容器１０の上部に結合して設置されている。
【００３０】
上記キャップ２３の内側雌ネジ部２３ａと、上記キャップ２３の雌ネジ部２３ａに締結され、キャップ２３の上部に設置されて上下に移動されるように調整することができる調整部材３０とが設置される。
【００３１】
上記調整部材３０は、上記キャップ２３の雌ネジ部２３ａと結合されるように、下側外部に雄ネジ部３１を形成し、上部に手で回転させることができるように鋸歯状の調整部３２が形成される。
【００３２】
上記調整部材３０は、使用しない時、上記キャップ２３から外して上向きに移動させて押しボタン２１が押されないようにし、使用する時、調整部材３０を自由に締め付けて下向きに移動させて押しボタン２１が押されられるようにして、排出される容器１０内の内容物の量を調整することができるように設置される。
【００３３】
図６のように、上記押しボタン２１の下側連結部２１ａには安全ピン溝２１ｂを形成し、上記安全ピン溝２１ｂと一致する上記調整部３２の上部にピン溝３２ａを形成し、上記ピン溝３２ａの両側にヒンジ３３ａで結合され、上記安全ピン溝２１ｂに挿入されるように上部に取っ手３４が形成された安全ピン３３が設置される。
【００３４】
図３のような状態で乳児を保護するために、使用しない時には、キャップ２３に結合された調整部材３０の調整部３２を手で握って回して外すと、キャップ２３の雌ネジ部２３ａに結合された調整部材３０の雄ネジ部３１が解けながら上向きに移動されて、押しボタン２１の連結部に位置するようになり、それによって、調整部材３０によって押しボタン２１は押されないようになる（図４に示す）。
【００３５】
上記のような状態で、図６で調整部材３０の調整部３２の上部ピン溝３２ａにヒンジ３３ａで結合された安全ピン３３を取っ手３４を利用して上向きに回転させ、これによって安全ピン溝２１ｂに安全ピン３３を挿入して固定する。
【００３６】
この時、上記押しボタン２１は下向きに押されなくて回転しないように固定される。
上記のような状態では、使用者や乳児が押しボタン２１を押しても押されないので、容器１０内の内容物が吐出管２２から排出されなくて、安全性を保持することができる。
【００３７】
図４のような状態で使用者が各種容器を用いる時には、上記押しボタン２１の下側連結部に形成された安全ピン溝２１ｂから取っ手３４を利用して安全ピン３３を取り外して下向きに回転させると、安全ピン３３が上記押しボタン２１の下側連結部で解除される。
【００３８】
その後、キャップ２３に結合された調整部材３０の調整部３２を手で把持して回して締め付けると、キャップ２３の雌ネジ部２３ａによって調整部材３０の雄ネジ部３１が締結され、調整部材３０が下向きに移動されて、押しボタン２１の連結部から離れるようになるので、図５のような状態で押しボタン２１を押すと、容器１０の内容物がピストン２７と支持管体２５によって吐出管２２から排出される。
【００３９】
上記のような状態で、調整部材３０を上側または下側に自由に調整することによって、押しボタン２１が押される程度に差が発生し、それによって、吐出管２２から出る容器１０内の内容物の排出量を調整することができる。
【００４０】
本発明は、容器１０のポンピング手段２０で一度開放された押しボタン２１を押さなくても閉めることができ、内容物の使用量を正確に決めることができ、上記押しボタン２１の連結部２１ａの下側に上下に回転しながら移動される調整部材３０を設置して、各種容器に設置された何れの形態のポンプでも同じ原理と同じ方式で正確に内容物の使用量を決めることができる。
【００４１】
以上、本発明の好ましい実施例を説明したが、本発明は多様な変化と変更及び均等物を用いることができる。本発明は上記実施例を適切に変形して同様に応用することができることが明確である。従って、上記記載された内容は特許請求の範囲の限界によって定められる本発明の範囲を限定するのではない。
【００４２】
一方、本発明の詳細な説明では具体的な実施例について説明したが、本発明の範囲を逸脱しない範囲内で様々な変形が可能であることは当該技術分野において通常の知識を有する者にとって自明である。
【図１】
2015518453.tif 000003
【図２】
2015518453.tif 000004
【図３】
2015518453.tif 000005
【図４】
2015518453.tif 000006
【図５】
2015518453.tif 000007
【図６】
2015518453.tif 000008
【国際調査報告】
2015518453.tif 000009
2015518453.tif 000010
2015518453.tif 000011
2015518453.tif 000012